【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
視覚的フィードバックを与える方法であって、
表面にある第１点との接触を検出するステップと、
検出した前記接触に応答して、メニューを表示するステップであって、該メニューが複数のメニュー選択可能要素を含む、ステップと、
前記接触が前記表面における前記第１点から前記表面における第２点に移動したことを検出するステップであって、前記第２点は前記複数のメニュー選択可能要素のうちの１つに対応する、ステップと、
前記複数のメニュー選択可能要素の前記１つに対応する制御部を表示するステップであって、該ステップが、前記第２点に対し相対的なスライダを表示することを含み、前記スライダの親指が前記第２点に表示される、ステップと、
を含む、方法。
【請求項２】
請求項１記載の方法において、前記表面における前記第１点との接触を検出するステップは、タッチ・スクリーンおよびタッチ・パッドのうち１つを含む前記表面における前記第１点との接触を検出するステップを含む、方法。
【請求項３】
請求項１記載の方法において、前記接触を検出するステップは、スタイラスおよび主体の指のうち１つを含む選択側要素によって生じた接触を検出するステップを含む、方法。
【請求項４】
請求項１記載の方法において、前記メニューを表示するステップは、前記メニューを前記表面に表示するステップを含む、方法。
【請求項５】
請求項１記載の方法において、前記メニューを表示するステップは、前記第１点に相対的に、前記表面に前記メニューを表示するステップを含む、方法。
【請求項６】
請求項１記載の方法において、前記メニューを表示するステップは、
前記表面において前記第１点に近接する第１量の空間を判定するステップと、
前記判定した第１量の空間に、前記複数のメニュー選択可能要素を表示するステップと、
を含む、方法。
【請求項７】
請求項１記載の方法において、前記制御部を表示するステップは、ユーザーが右利きであると判定した場合、前記制御部を前記表面の第１エリアに表示するステップを含む、方法。
【請求項８】
請求項１記載の方法において、前記制御部を表示するステップは、ユーザーが左利きであると判定した場合、前記制御部を前記表面の第２エリアに表示するステップを含む、方法。
【請求項９】
請求項１記載の方法において、前記制御部を表示するステップは、前記スライダに関連したボリューム制御部を表示するステップを含む、方法。
【請求項１０】
請求項１記載の方法において、前記スライダを表示するステップは、前記制御部に近接して、前記制御部が移動可能な少なくとも１つの方向に対応する指示を表示するステップを含む、方法。
【請求項１１】
請求項１記載の方法において、前記制御部を表示するステップは、さらに、
前記表面において前記第２点に近接する第２量の空間を判定するステップと、
前記判定した第２量の空間に、前記制御部を表示するステップと、
を含む、方法。
【請求項１２】
命令の集合を格納し、該命令が実行されると、視覚的フィードバックを与える方法を実行するコンピューター読み取り可能媒体であって、前記命令の集合によって実行される方法が、
第１点においてタッチ・スクリーン上でホバリングしている選択側要素を受けるステップと、
前記第１点において前記タッチ・スクリーン上でホバリングしている前記選択側要素に応答して、メニューを表示するステップであって、前記メニューが、前記第１点に相対的に表示された複数のメニュー選択可能要素を含む、ステップと、
前記選択側要素が前記スクリーンを横切って前記第１点から第２点に移動したと判定するステップであって、前記第２点が前記複数のメニュー選択可能要素の１つに対応する、ステップと、
前記複数のメニュー選択可能要素の前記１つに対応する制御部を表示するステップであって、前記制御部が前記第２点に相対的に表示され、該制御部に対応する制御選択可能要素が前記第２点に表示され、前記制御部がボリューム調節スライダを含む、ステップと、
前記制御部に近接してインジケータを表示するステップであって、前記インジケータが、前記制御選択可能要素が移動可能な少なくとも１つの方向を示す、ステップと、
を含む、コンピューター読み取り可能媒体。
【請求項１３】
請求項１２記載のコンピューター読み取り可能媒体において、前記選択側要素に応答して前記メニューを表示するステップは、スタイラスおよび主体の指のうち１つを含む前記選択側要素に応答して、前記メニューを表示するステップを含む、コンピューター読み取り可能媒体。
【請求項１４】
請求項１２記載のコンピューター読み取り可能媒体において、前記メニューを表示するステップは、さらに、
前記タッチ・スクリーンにおける前記第１点に近接する第１量の空間を判定するステップと、
前記判定した第１量の空間において、前記複数のメニュー選択可能要素を表示するステップと、
を含む、コンピューター読み取り可能媒体。
【請求項１５】
請求項１２記載のコンピューター読み取り可能媒体において、前記制御部を表示するステップは、前記選択側要素に対応するユーザーが右利きであると判定した場合、前記タッチ・スクリーンの第１エリアに前記制御部を表示するステップを含む、コンピューター読み取り可能媒体。
【請求項１６】
請求項１２記載のコンピューター読み取り可能媒体において、前記制御部を表示するステップは、前記選択側要素に対応するユーザーが右利きであると判定した場合、前記スクリーンの第１エリアに前記制御部を表示するステップを含み、前記第１エリアの少なくとも一部は、前記第２点の左側にある、コンピューター読み取り可能媒体。
【請求項１７】
請求項１２記載のコンピューター読み取り可能媒体において、前記制御部を表示するステップは、前記選択側要素に対応するユーザーが左利きであると判定した場合、前記スクリーンの第２エリアに前記制御部を表示するステップを含む、コンピューター読み取り可能媒体。
【請求項１８】
請求項１２記載のコンピューター読み取り可能媒体において、前記制御部を表示するステップは、前記選択側要素に対応するユーザーが左利きであると判定した場合、前記スクリーンの第２エリアに前記制御部を表示するステップを含み、前記第２エリアの少なくとも一部は、前記第２点の右側にある、コンピューター読み取り可能媒体。
【請求項１９】
請求項１２記載のコンピューター読み取り可能媒体において、前記制御部を表示するステップは、さらに、
前記スクリーンにおいて前記第２点に近接する第２量の空間を判定するステップと、
前記判定した第２量の空間に前記制御部を表示するステップと、
を含む、コンピューター読み取り可能媒体。
【請求項２０】
視覚的フィードバックを与えるシステムであって、
メモリー・ストレージと、
前記メモリー・ストレージに結合された処理ユニットと、
を含み、前記処理ユニットが、
表面の第１点においてホバリングしているユーザーの指を検出し、
検出した前記ホバリングしている指に応答して、前記第１点に相対的に、第１メニューを表示し、前記第１メニューが、複数の第１メニュー選択可能要素を含み、
前記検出したホバリングしている指が、前記表面の前記第１点から前記表面の第２点に移動したと判定し、前記第２点が前記複数の第１メニュー選択可能要素の１つに対応し、
前記検出したホバリングしている指が移動したと判定したことに応答して、前記第１メニューを前記スクリーンから除去し、
前記第２点に相対的に、前記複数の第１メニュー選択可能要素に対応する制御部を表示し、該制御部が、前記第２点に相対的なスライダを含み、前記スライダの親指が前記第２点に表示される、
ように動作する、システム。